(57)【特許請求の範囲】
【請求項１】
鍵盤シャーシ上に起立して設けられた一対の支持片、およびこの一対の支持片に互いに対向して設けられた一対の軸部を有する鍵支持部と、
鍵に設けられて前記一対の支持片間に挿入する挿入部、およびこの挿入部に設けられて前記一対の軸部が嵌合する軸孔、並びに前記挿入部に設けられて前記一対の支持片の各縁部をそれぞれ挟む一対の挟持部を有する鍵取付部と
を備えていることを特徴とする鍵支持構造。
【請求項２】
請求項１に記載の鍵支持構造において、前記一対の挟持部は、前記鍵が垂直に起立した状態の場合、前記一対の支持片に対して非接触状態となる位置に配置されていることを特徴とする鍵支持構造。
【請求項３】
請求項１または請求項２のいずれかに記載の鍵支持構造において、前記挿入部には、前記一対の支持片間に前記挿入部が挿入する際に、前記挿入部の両側部を互いに接近する方向に弾性変形させるためのスリット孔が設けられていることを特徴とする鍵支持構造。
【請求項４】
請求項１に記載の鍵支持構造を備えた鍵盤楽器。
【発明の詳細な説明】
【技術分野】
【０００１】
この発明は、電子ピアノや電子オルガンなどの鍵盤楽器に用いられる鍵支持構造および鍵盤楽器に関する。
【背景技術】
【０００２】
例えば、鍵盤楽器の鍵支持構造においては、特許文献１に記載されているように、鍵盤シャーシ上に設けられた鍵支持部に、鍵の後部に設けられた鍵取付部を上下方向に回転可能に取り付けるように構成されたものが知られている。
【先行技術文献】
【特許文献】
【０００３】
【特許文献１】特開２００１−２６５３４６号公報
【０００４】
この場合、鍵盤シャーシの鍵支持部は、鍵盤シャーシ上に設けられた一対の支持片と、この一対の支持片の対向面に設けられた一対の突起軸とを有している。また、鍵の鍵取付部は、一対の突起軸が嵌合する取付孔と、一対の突起軸を取付孔に導く第１ガイド溝と、取付孔から一対の突起軸を鍵の後方に向けて導く第２ガイド溝とを有している。
【０００５】
このような鍵支持構造は、鍵盤シャーシの鍵支持部における一対の支持片間に鍵の後部に位置する鍵取付部を挿入させて取り付ける際に、鍵支持部の一対の支持片に設けられた一対の突起軸を鍵取付部の第１ガイド溝に沿って相対的に移動させて鍵取付部の取付孔に嵌合させることにより、鍵盤シャーシ上に鍵が上下方向に回転可能に取り付けられるように構成されている。
【０００６】
また、この鍵支持構造は、鍵盤シャーシの鍵支持部から鍵の後部に位置する鍵取付部を取り外す際に、鍵支持部の一対の突起軸を鍵取付部の取付孔から抜き出して鍵取付部の第２ガイド溝に沿って後方に向けて相対的に移動させることにより、鍵支持部から鍵の鍵取付部が容易に取り外せるように構成されている。
【発明の概要】
【発明が解決しようとする課題】
【０００７】
このような鍵盤楽器の鍵盤支持構造では、鍵盤シャーシの鍵支持部に鍵の後部に設けられた鍵取付部を取り付ける際に、鍵支持部の一対の支持片に設けられた一対の突起軸が鍵取付部の第１ガイド溝に沿って移動すると、鍵支持部の一対の支持片が鍵取付部によって弾力的に押し広げられ、一対の突起軸が鍵取付部の取付孔に嵌合すると、押し広げられた一対の支持片が元の状態に戻り、一対の支持片によって鍵取付部が上下方向に回転可能な状態で支持される。
【０００８】
このため、このような鍵支持構造においては、鍵盤シャーシの鍵支持部における一対の支持片が押し広げられるように弾力的に変形する構成であるから、鍵を押鍵した際に、鍵によって一対の支持片にこれを押し広げる方向の負荷が加わると、一対の支持片が押し広げられてしまうため、鍵が傾き易くなり、これにより鍵がローリングを起し易いという問題がある。
【０００９】
この発明が解決しようとする課題は、鍵のローリングを防ぎ、安定した状態で鍵を回転動作させることができる鍵支持構造および鍵盤楽器を提供することである。
【課題を解決するための手段】
【００１０】
この発明は、鍵盤シャーシ上に起立して設けられた一対の支持片、およびこの一対の支持片に互いに対向して設けられた一対の軸部を有する鍵支持部と、鍵に設けられて前記一対の支持片間に挿入する挿入部、およびこの挿入部に設けられて前記一対の軸部が嵌合する軸孔、並びに前記挿入部に設けられて前記一対の支持片の各縁部をそれぞれ挟む一対の挟持部を有する鍵取付部とを備えていることを特徴とする鍵支持構造である。
【発明の効果】
【００１１】
この発明によれば、一対の挟持部によって一対の支持片が押し広げられるのを規制することができるので、鍵を押鍵した際に、鍵によって鍵支持部の一対の支持片にこれを押し広げる方向の負荷が加わっても、一対の支持片が押し広げられるのを確実に防ぐことができる。このため、押鍵操作時に鍵が傾くことがないので、鍵がローリングを起すことがなく、安定した状態で鍵を良好に回転動作させることができる。
【図面の簡単な説明】
【００１２】
【図１】この発明を鍵盤楽器に適用した一実施形態を示した拡大断面図である。
【図２】図１に示された鍵盤楽器における鍵支持構造を示した要部の拡大図である。
【図３】図２に示された鍵支持構造のＡ−Ａ矢視における要部の拡大断面図である。
【図４】図２に示された鍵支持構造のＢ−Ｂ矢視における要部の拡大断面図である。
【図５】図２に示された鍵支持構造において、鍵盤シャーシの鍵支持部の上方に鍵をほぼ垂直に起立させた状態を示した要部の拡大図である。
【図６】図５に示された鍵支持構造を背面側から見た要部の拡大図である。
【図７】図６に示された鍵支持構造において、鍵支持部の一対の支持片間に鍵取付部の挿入部を挿入させた状態を示した要部の拡大図である。
【図８】図５に示された鍵支持構造において、一対の支持片の各軸部が挿入部の各軸孔に嵌合した状態を示した要部の拡大図である。
【図９】図８に示された鍵支持構造を背面側から見た要部の拡大図である。
【発明を実施するための形態】
【００１３】
以下、図１〜図９を参照して、この発明を鍵盤楽器に適用した一実施形態について説明する。
この鍵盤楽器は、図１に示すように、鍵盤シャーシ１と、この鍵盤シャーシ１上に並列に配列された状態で上下方向に回転可能に設けられた複数の鍵２（図１では１つのみを示す）と、鍵盤シャーシ１に上下方向に回転可能に設けられて複数の鍵２にそれぞれアクション荷重を付与する複数のハンマー部材３（図１では１つのみを示す）とを備えている。この場合、複数の鍵２は、白鍵と黒鍵とからなっている。ただし、この実施形態では白鍵のみについて説明する。
【００１４】
この鍵２は、図１に示すように、その後端部（図１では左端部）が鍵盤シャーシ１の後部（図１では左側部）に位置する鍵搭載部４上に設けられた鍵支持部５に上下方向に回転可能に取り付けられている。この鍵２の前後方向（図１では左右方向）における中間部よりも後部側に位置する箇所には、スイッチ押圧部６が下側に突出して設けられている。また、この鍵２におけるスイッチ押圧部６の前側（図１では右側）に位置する箇所には、ハンマー押圧部７が下側に突出して設けられている。
【００１５】
一方、鍵盤シャーシ１の前部（図１では右側部）には、図１に示すように、前脚部８が底部から上方に向けて突出して設けられている。この前脚部８上には、鍵２の横振れを防ぐための鍵ガイド部１０が上方に突出して設けられている。また、この鍵盤シャーシ１における前脚部８の後部（図１では右側部）には、ハンマー搭載部１１が前脚部８とほぼ同じ高さで設けられている。このハンマー搭載部１１上には、ハンマー支持部１２が設けられており、このハンマー支持部１２には、ハンマー部材３が上下方向に回転可能に取り付けられるハンマー支持軸１３が設けられている。
【００１６】
この鍵盤シャーシ１におけるハンマー搭載部１１の後部（図１では右側部）には、図１に示すように、立上り部１４が鍵ガイド部１０とほぼ同じ高さで起立して設けられている。この立上り部１４には、後述するハンマー部材３のハンマー本体２０が上下方向に移動可能に挿入するハンマー挿入用の開口部１４ａが設けられている。この立上り部１４の上部には、基板搭載部１５が後方（図１では左側部）に向けてほぼ水平に設けられており、この基板搭載部１５の後部には、鍵搭載部４が一段高く設けられている。
【００１７】
この場合、基板搭載部１５上には、図１に示すように、スイッチ基板１６が取り付けられている。このスイッチ基板１６上には、スイッチ部１７が複数の鍵２の各スイッチ押圧部６にそれぞれ対応して設けられている。このスイッチ部１７は、ゴムシートにドーム状の膨出部が形成され、この膨出部内に一対の可動接点が設けられ、この一対の可動接点がスイッチ基板１６上に設けられた一対の固定接点に接離可能に接触するように構成されている。
【００１８】
ハンマー部材３は、図１に示すように、ハンマー本体２０と、このハンマー本体２０の後部（図１では左側部）に設けられた錘部２１と、ハンマー本体２０の前部（図１では左側部）に設けられた軸受け部２２と、この軸受け部２２の前側に位置するハンマー本体２０の前端部に設けられた鍵当接部２３とを備えている。
【００１９】
このハンマー部材３は、図１に示すように、ハンマー本体２０の後部が鍵盤シャーシ１の立上り部１４の開口部１４ａに前側（図１では右側）から後側（図１では左側）に向けて挿入され、この状態で軸受け部２２が鍵盤シャーシ１におけるハンマー支持部１２のハンマー支持軸１３に回転可能に取り付けられることにより、ハンマー本体２０がハンマー支持軸１３を中心に上下方向に回転するように構成されている。
【００２０】
また、このハンマー部材３は、図１に示すように、ハンマー本体２０の前端部の鍵当接部２３が鍵２のハンマー押圧部７によって押し下げられると、ハンマー本体２０の錘部２１の重量に抗して、ハンマー本体２０が鍵盤シャーシ１におけるハンマー支持部１２のハンマー支持軸１３を中心に時計回りに回転して、鍵２にアクション荷重を付与するように構成されている。
【００２１】
また、このハンマー部材３は、図１に示すように、ハンマー本体２０が錘部２１の重量に抗してハンマー支持軸１３を中心に時計回りに回転した際に、ハンマー本体２０の後端部が鍵盤シャーシ１の鍵搭載部４の下面に設けられた上限ストッパ部２５に当接して、ハンマー本体２０が上限位置に規制され、これにより鍵２を下限位置に規制するように構成されている。
【００２２】
さらに、このハンマー部材３は、図１に示すように、上限位置に規制されたハンマー本体２０が錘部２１の重量によってハンマー支持軸１３を中心に反時計回りに回転した際に、ハンマー本体２０の後端部が鍵盤シャーシ１の底部に設けられた下限ストッパ部２６に当接して、ハンマー本体２０が下限位置に規制され、これにより鍵２を初期位置である上限位置に規制するように構成されている。
【００２３】
ところで、鍵２を回転可能に支持する鍵支持構造は、図２〜図４に示すように、鍵盤シャーシ１の鍵搭載部４上に設けられた鍵支持部５に、鍵２の後部（図２では左端部）に設けられた鍵取付部２８を上下方向に回転可能に取り付けるように構成されている。鍵盤シャーシ１の鍵支持部５は、図３および図６に示すように、鍵盤シャーシ１の鍵搭載部４上に起立して設けられた一対の支持片３０と、この一対の支持片３０に互いに対向して設けられた一対の軸部３１とを有している。
【００２４】
この場合、一対の支持片３０は、図２〜図６に示すように、それぞれほぼ四角形の板状に形成され、互いに所定間隔だけ離れた状態で対向し、この状態で鍵盤シャーシ１の鍵搭載部４上に起立して形成されている。この一対の支持片３０における対向面の各上部には、その上端部に向けて次第に厚みが薄くなる傾斜部３０ａがそれぞれ設けられている。また、一対の軸部３１は、一対の支持片３０における各対向面のほぼ中心部に互いに接近する方向に向けて突出して設けられている。
【００２５】
一方、鍵２の鍵取付部２８は、図２〜図４に示すように、鍵２に設けられて一対の支持片３０間に挿入する挿入部３２と、この挿入部３２に設けられて一対の軸部３１がそれぞれ挿入する軸孔３３と、一対の支持片３０の各上縁部である各傾斜部３０ａの一部をそれぞれ挟み込む一対の挟持部３４とを有している。この場合、挿入部３２は、図２〜図５に示すように、その鍵２の配列方向における厚みが一対の支持片３０間の隙間とほぼ同じ大きさに形成されている。
【００２６】
この挿入部３２は、図２に示すように、ほぼ四角形の板状に形成され、この板状の後端下部（図２では左下部）が円弧状に湾曲した湾曲部３２ａに形成された構成になっている。この挿入部３２には、図２〜図５に示すように、一対の支持片３０間に挿入部３２が挿入する際に、一対の支持片３０に対面する挿入部３２の両側部を互いに接近する方向に弾性変形させるためのスリット孔３５が、図３において上下に貫通して設けられている。
【００２７】
これにより、挿入部３２は、図７に示すように一対の支持片３０間に挿入部３２が挿入して一対の支持片３０が押し広げられる際に、一対の軸部３１がスリット孔３５に対応すると、挿入部３２の両側部が一対の軸部３１によって押圧されて、挿入部３２の両側部が互いに接近する方向に弾性変形することにより、一対の支持片３０が押し広げられるのを抑制するように構成されている。
【００２８】
一対の軸孔３３は、図２〜図５に示すように、挿入部３２における湾曲部３２ａの円弧状の中心部に位置する箇所に互いに対向して設けられている。一対の挟持部３４は、挿入部３２における各上辺の外面の一部にそれぞれ設けられた各フック部であり、鍵２がほぼ水平な状態に配置された際に、図２および図３に示すように、一対の支持片３０における各傾斜部３０ａの縁部が挿入する挟持溝３４ａがそれぞれ設けられた構成になっている。
【００２９】
すなわち、この一対の挟持部３４は、図８に示すように、挿入部３２が一対の支持片３０間に挿入する際に一対の支持片３０に対して非接触状態を維持し、一対の軸孔３３に一対の軸部３１が嵌合して鍵２がほぼ水平な状態になる方向に向けて回転した際に、図２に示すように、一対の支持片３０の各上部における各傾斜部３０ａの縁部の一部をそれぞれ挟持するように構成されている。
【００３０】
この場合、一対の挟持部３４は、図８に示すように、鍵２がほぼ垂直に起立した状態で挿入部３２が一対の支持片３０間に挿入して一対の軸孔３３に一対の軸部３１が嵌合した際に、図５および図８に２点鎖線で示すように、一対の支持片３０が対応しない挿入部３２の領域Ｅ内に位置するように設けられている。
【００３１】
また、この一対の挟持部３４は、図８に示すように、ほぼ垂直に起立した状態の鍵２がほぼ水平な状態に回転した際に、図２に示すように、一対の支持片３０が対応する箇所、例えば図２において挿入部３２の外面における右上側（図８では左上側）に位置して、一対の支持片３０の上縁部の一部、つまり各傾斜部３０ａの縁部の一部に対応する箇所に設けられている。
【００３２】
これにより、一対の挟持部３４は、図８に示すように、鍵２がほぼ垂直に起立した状態で挿入部３２が一対の支持片３０間に挿入した際に、一対の支持片３０に接触することなく、一対の支持片３０の上方に位置するように構成されている。また、この一対の挟持部３４は、図２に示すように、一対の軸孔３３に一対の軸部３１が嵌合して鍵２がほぼ水平な状態に回転して配置された際に、一対の支持片３０の各上部における傾斜部３０ａの前側縁部（図２では右側の縁部）をそれぞれ挟持するように構成されている。
【００３３】
このため、鍵盤シャーシ１の鍵支持部５における一対の支持片３０は、図２および図３に示すように、鍵取付部２８の挿入部３２に設けられた一対の挟持部３４の挟持溝３４ａに一対の支持片３０における各傾斜部３０ａの上縁部が挿入して、一対の挟持部３４によって一対の支持片３０の上縁部が挟まれていることにより、鍵２が押鍵操作されて、鍵２によって一対の支持片３０にこれを押し広げる方向の負荷が加わった際に、一対の支持片３０が押し広げられないように、一対の支持片３０の上縁部を抱え込んで位置規制するように構成されている。
【００３４】
次に、このような鍵盤楽器を組み立てる場合について説明する。
この場合には、まず、鍵盤シャーシ１にスイッチ基板１６を取り付けると共に、ハンマー部材３を取り付ける。すなわち、スイッチ基板１６を鍵盤シャーシ１に取り付ける際には、予め、スイッチ基板１６にスイッチ部１７を取り付け、このスイッチ基板１６を鍵盤シャーシ１の基板搭載部１５に取り付ける。
【００３５】
また、ハンマー部材３を鍵盤シャーシ１に取り付ける際には、ハンマー部材３の錘部２１を鍵盤シャーシ１の上側から鍵盤シャーシ１の立上り部１４の開口部１４ａを通して鍵盤シャーシ１の後部下側に向けて挿入し、ハンマー部材３の軸受け部２２を鍵盤シャーシ１のハンマー支持部１２のハンマー支持軸１３に回転可能に取り付ける。このときには、ハンマー部材３の錘部２１側の後端部を鍵盤シャーシ１の後端下部に設けられた下限ストッパ部２６上に配置する。
【００３６】
この状態で、鍵盤シャーシ１に鍵２を取り付ける。このときには、まず、図５および図６に示すように、鍵２の鍵取付部２８を下にして、鍵２を鍵盤シャーシ１の鍵搭載部４上に設けられた鍵支持部５の上方にほぼ垂直に起立させる。この状態で、図７に示すように、鍵２の鍵取付部２８における挿入部３２を鍵支持部５の一対の支持片３０間に上方から挿入する。すると、図７に示すように、一対の支持片３０が挿入部３２によって押し広げられながら、一対の支持片３０間に挿入部３２が挿入する。
【００３７】
このとき、一対の支持片３０の各軸部３１が挿入部３２のスリット孔３５に対応すると、挿入部３２の両側部が一対の軸部３１によって押されて、挿入部３２の両側部がスリット孔３５内に向けて互いに接近するように弾性変形する。このため、一対の支持片３０間に挿入部３２が挿入する際に、その挿入に伴って一対の支持片３０が押し広げられるのが抑制される。
【００３８】
そして、挿入部３２に設けられた各軸孔３３に一対の支持片３０の各軸部３１がそれぞれ嵌合すると、図８および図９に示すように、一対の支持片３０が弾性復帰して元の状態に戻り、この一対の支持片３０の各対向面が挿入部３２の外面に密接する。この状態では、図８に示すように、一対の挟持部３４が一対の支持片３０に接近しても、一対の支持片３０に接触することがない。
【００３９】
この状態で、一対の支持片３０の各軸部３１を中心に鍵２を時計回り方向（図８に矢印で示す方向）に回転させてほぼ水平な状態にする。すると、図２および図３に示すように、一対の支持片３０における各傾斜部３０ａの上縁部が鍵取付部２８における一対の挟持部３４の挟持溝３４ａに挿入し、この一対の挟持部３４によって一対の支持片３０の上縁部の一部が挟持される。これにより、一対の支持片３０が互いに開く方向に押し広げられないように、一対の挟持部３４によって一対の支持片３０の変形が規制される。
【００４０】
このように鍵２が鍵盤シャーシ１上に取り付けられると、鍵２のスイッチ押圧部６がスイッチ基板１６上のスイッチ部１７に対応し、鍵２のハンマー押圧部７がハンマー部材３の鍵当接部２３に当接し、鍵２の前部が鍵ガイド部１０によってガイドされる。この状態で、ハンマー部材３の錘部２１の後端部が下限ストッパ部２６上に当接していることにより、鍵２のハンマー押圧部７がハンマー部材３の鍵当接部２３によって押し上げられ、鍵２が上限位置に規制されている。
【００４１】
次に、このような鍵盤楽器の作用について説明する。
鍵盤シャーシ１上の鍵２を押鍵操作すると、図１に示すように、鍵盤シャーシ１の鍵支持部５に設けられた一対の支持片３０の各軸部３１を中心に鍵２が時計回りに回転する。すなわち、鍵２は、その後端部（図１では左端部）に位置する鍵取付部２８の挿入部３２に設けられた軸孔３３に、鍵盤シャーシ１の鍵支持部５に設けられた一対の支持片３０の各軸部３１が嵌合していることにより、この各軸部３１を中心に時計回りに回転する。
【００４２】
このときには、鍵２の前部（図１では右側部）が鍵ガイド１０によってガイドされながら下側に移動し、鍵２のハンマー押圧部７がハンマー部材３の鍵当接部２３を押し下げると共に、鍵２のスイッチ押圧部６がスイッチ部１７を押し下げる。すると、ハンマー部材３が錘部２１の重量に抗して鍵盤シャーシ１上のハンマー支持部１２のハンマー支持軸１３を中心に時計回りに回転し、鍵２にアクション荷重が付与されると共に、スイッチ部１７が鍵２のスイッチ押圧部６によって押されてオン動作し、押鍵された鍵２に対応する楽音がスピーカ（図示せず）から放音される。
【００４３】
このように、鍵２が押鍵された際に、鍵２によって一対の支持片３０にこれを押し広げる方向の負荷が加わっても、一対の挟持部３４が一対の支持片３０の上縁部の一部を挟持して、一対の支持片３０の変形を規制しているので、一対の支持片３０が互いに開く方向に押し広げられることがない。このため、押鍵操作時に鍵２がその配列方向に傾かないようにすることができるので、鍵２がローリングを起すことがなく、安定した状態で鍵２を良好に回転動作させることができる。
【００４４】
このように、この鍵盤楽器の鍵支持構造によれば、鍵盤シャーシ１上に鍵２を上下方向に回転可能に取り付ける鍵支持構造において、鍵盤シャーシ１上に起立して設けられた一対の支持片３０、およびこの一対の支持片３０に互いに対向して設けられた一対の軸部３１を有する鍵支持部５と、鍵２に設けられて一対の支持片３０間に挿入する挿入部３２、およびこの挿入部３２に設けられて一対の軸部３１が嵌合する軸孔３３、並びに挿入部３２に設けられて一対の支持片３０の各縁部をそれぞれ挟む一対の挟持部３４を有する鍵取付部２８とを備えていることにより、押鍵操作時における鍵２のローリングを防ぎ、安定した状態で鍵２を回転動作させることができる。
【００４５】
すなわち、この鍵支持構造では、鍵支持部５の一対の支持片３０における各縁部が鍵取付部２８の一対の挟持部３４に挟まれているので、一対の支持片３０が押し広げられるのを確実に規制することができる。これにより、鍵２を押鍵した際に、鍵２によって鍵支持部５の一対の支持片３０にこれを押し広げる方向の負荷が加わっても、一対の支持片３０が押し広げられるのを確実に防ぐことができる。このため、押鍵操作時に鍵２がその配列方向に傾くことがないので、鍵２がローリングを起すことがなく、安定した状態で鍵２を良好に回転動作させることができる。
【００４６】
この場合、一対の挟持部３４は、挿入部３２が一対の支持片３０間に挿入する際に一対の支持片３０に対して非接触状態で挿入するので、挿入部３２を一対の支持片３０間に挿入させて、鍵２の鍵取付部２８を鍵盤シャーシ１の鍵支持部５に取り付ける際に、一対の挟持部３４が一対の支持片３０に対して干渉することがなく、一対の支持片３０を挿入部３２によって良好に押し広げて容易に挿入させることができ、これにより簡単に且つ良好に鍵２の鍵取付部２８を鍵盤シャーシ１の鍵支持部５に取り付けることができる。
【００４７】
また、一対の挟持部３４は、一対の軸孔３３に一対の軸部３１が嵌合して、鍵２がほぼ水平な状態になる方向に回転した際に、一対の支持片３０の各上側縁部をそれぞれ挟むように構成されているので、挿入部３２を一対の支持片３０間に挿入させた状態で、鍵２をほぼ水平な状態になる方向に回転させるだけで、簡単に且つ確実に一対の挟持部３４によって一対の支持片３０の各上側縁部をそれぞれ挟むことができる。これにより、押鍵操作時に鍵２によって一対の支持片３０にこれを押し広げる方向の負荷が加わっても、一対の支持片３０が押し広げられる変形を確実に且つ良好に規制することができ、これにより一対の支持片３０が押し広げられないようにすることができる。
【００４８】
すなわち、この鍵支持構造では、鍵盤シャーシ１の上方に鍵２をほぼ垂直に起立させた状態で、挿入部３２を一対の支持片３０間に挿入する際に、一対の挟持部３４が一対の支持片３０に対して非接触状態で挿入するので、一対の挟持部３４が一対の支持片３０に対して干渉することがなく、挿入部３２を一対の支持片３０間に容易に且つ良好に挿入することができ、これにより組み立て作業性を向上させることができる。
【００４９】
また、この鍵支持構造では、挿入部３２を一対の支持片３０間に挿入させて、一対の軸孔３３に一対の軸部３１を嵌合させ、この状態で鍵２をほぼ水平な状態になるように回転させた際に、一対の挟持部３４が一対の支持片３０の各上側縁部をそれぞれ挟むので、鍵２をほぼ水平な状態になるように回転させるだけの、簡単な作業で確実に一対の挟持部３４によって一対の支持片３０の各上側縁部をそれぞれ挟むことができ、これによっても組み立て作業性を向上させることができる。
【００５０】
この場合、一対の支持片３０の上部は、その上端部に向けて厚みが徐々に薄くなる傾斜部３０ａに形成されているので、一対の軸孔３３に一対の軸部３１を嵌合させて、鍵２をほぼ水平な状態になるように回転させた際に、一対の挟持部３４の挟持溝３４ａ内に一対の支持片３０の各上側縁部である各傾斜部３０ａの一部を容易に且つ確実に挿入させることができ、これにより一対の挟持部３４で一対の支持片３０における各傾斜部３０ａの一部をそれぞれ確実に且つ良好に挟むことができる。
【００５１】
さらに、この鍵支持構造では、一対の支持片３０間に挿入する挿入部３２に、一対の支持片３０間に挿入部３２が挿入する際に、その挿入部３２の両側部を互いに接近する方向に弾性変形させるためのスリット孔３５が設けられていることにより、挿入部３２が一対の支持片３０間に挿入されて、一対の支持片３０が押し広げられる際に、スリット孔３５によって挿入部３２の両側部を互いに接近する方向に弾性変形させることができ、これにより一対の支持片３０が押し広げられる開き角度を最小限に抑えることができると共に、挿入部３２を一対の支持片３０間に円滑に且つ良好に挿入させることができる。
【００５２】
なお、上述した実施形態では、挿入部３２に設けられた一対の挟持部３４が一対の支持片３０における各上縁部の前部を挟むように構成した場合について述べたが、必ずしも一対の挟持部３４が一対の支持片３０における各上縁部の前部を挟む必要はなく、一対の挟持部３４が一対の支持片３０における各上縁部の後部または中間部を挟むように構成しても良く、また一対の挟持部３４が一対の支持片３０における前側の側縁部を挟むように構成しても良い。
【００５３】
また、上述した実施形態では、鍵２にアクション荷重を付与するハンマー部材３を備えた鍵盤楽器に適用した場合について述べたが、必ずしもハンマー部材３を用いる必要はなく、鍵２のスイッチ押圧部６をスイッチ部１７で弾力に押し上げる簡易型の鍵盤楽器にも適用することができる。
【００５４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５５】
（付記）
請求項１に記載の発明は、前記鍵盤シャーシ上に起立して設けられた一対の支持片、およびこの一対の支持片に互いに対向して設けられた一対の軸部を有する鍵支持部と、前記鍵に設けられて前記一対の支持片間に挿入する挿入部、およびこの挿入部に設けられて前記一対の軸部が嵌合する軸孔、並びに前記挿入部に設けられて前記一対の支持片の各縁部をそれぞれ挟む一対の挟持部を有する鍵取付部とを備えていることを特徴とする鍵支持構造である。
【００５６】
請求項２に記載の発明は、請求項１に記載の鍵支持構造において、前記一対の挟持部は、前記挿入部が前記一対の支持片間に挿入する際に前記一対の支持片に対して非接触状態で挿入し、前記軸孔に前記一対の軸部が嵌合して前記鍵が回転した際に、前記一対の支持片の各縁部をそれぞれ挟むことを特徴とする鍵支持構造である。
【００５７】
請求項３に記載の発明は、請求項１または請求項２に記載の鍵支持構造において、前記鍵盤シャーシの上方に前記鍵をほぼ垂直に起立させた状態で前記挿入部が前記一対の支持片間に挿入する際に、前記一対の挟持部が前記一対の支持片に対して非接触状態で挿入し、前記軸孔に前記一対の軸部が嵌合して前記鍵がほぼ水平な状態に回転した際に、前記一対の挟持部が前記一対の支持片の各縁部をそれぞれ挟むことを特徴とする鍵支持構造である。
【００５８】
請求項４に記載の発明は、請求項１〜請求項３のいずれかに記載の鍵支持構造において、前記挿入部には、前記一対の支持片間に前記挿入部が挿入する際に、前記挿入部の両側部を互いに接近する方向に弾性変形させるためのスリット孔が設けられていることを特徴とする鍵支持構造である。
【００５９】
請求項５に記載の発明は、請求項１に記載の鍵支持構造を備えた鍵盤楽器である。
【符号の説明】
【００６０】
１  鍵盤シャーシ
２  鍵
３  ハンマー部材
４  鍵搭載部
５  鍵支持部
２８  鍵取付部
３０  一対の支持片
３１  一対の軸部
３２  挿入部
３３  一対の軸孔
３４  一対の挟持片
３５  スリット孔
【図１】
0005935278.tif 000002
【図２】
0005935278.tif 000003
【図３】
0005935278.tif 000004
【図４】
0005935278.tif 000005
【図５】
0005935278.tif 000006
【図６】
0005935278.tif 000007
【図７】
0005935278.tif 000008
【図８】
0005935278.tif 000009
【図９】
0005935278.tif 000010